(57)【要約】【課題】  利便性を優先する取引希望者に対し煩わしさを与えることなく、また防犯性を高めた自動取引装置、自動取引システムおよび取引カードを提供する。【解決手段】  カメラで撮影した画像に基づいて、正面素顔の認識を行う正面素顔認識部１７を備えており、防犯機能の起動要求の可否を防犯機能情報として記憶媒体に登録した後、取引希望者により取引操作が開始されると、記憶媒体から防犯機能起動情報を取得する防犯機能起動情報取得部１４と、防犯機能起動情報に基づいて防犯機能起動の可否を判定する防犯機能起動判定部１８と、起動要求有りと判定されると、正面素顔認識部からの認識結果を取得し、取引希望者の正面素顔を認識できないときには、当該取引希望者に対し正面素顔を認識可能に、正面素顔の撮影を要求すると共に、該要求後に取引希望者の正面素顔を認識できないときには、以降の取引動作を停止する防犯部１９とを備える。【選択図】        図１
2006079302.tif 000002
【特許請求の範囲】
【請求項１】
カメラで撮影した画像に基づいて、正面素顔の認識を行う正面素顔認識部を備えた自動取引装置において、
防犯機能の起動要求の可否を防犯機能情報として記憶媒体に登録した後、
取引希望者により取引操作が開始されると、前記記憶媒体から前記防犯機能起動情報を取得する防犯機能起動情報取得部と、
取得した防犯機能起動情報に基づいて、防犯機能起動の可否を判定する防犯機能起動判定部と、
防犯機能起動の要求有りと判定されると、前記正面素顔認識部からの認識結果を取得し、前記取引希望者の正面素顔を認識できないときには、当該取引希望者に対し正面素顔を認識可能に、正面素顔の撮影を要求すると共に、該要求後に前記取引希望者の正面素顔を認識できないときには、以降の取引動作を停止する防犯部と、を備えることを特徴とする自動取引装置。
【請求項２】
前記記憶媒体は、顧客に付与される取引カード、通帳、または顧客の情報を管理するデータベースの少なくとも何れか一つに登録されることを特徴とする請求項１記載の自動取引装置。
【請求項３】
前記防犯機能情報を登録する防犯機能登録部を備えることを特徴とする請求項１記載の自動取引装置。
【請求項４】
前記防犯部は、前記した正面素顔の撮影要求を所定の回数行った後、取引動作を停止することを特徴とする請求項１記載の自動取引装置。
【請求項５】
前記防犯部は、前記した正面素顔の撮影要求を行い、所定の時間が経過しても正面素顔が認識できなかったとき、取引動作を停止することを特徴とする請求項１記載の自動取引装置。
【請求項６】
前記防犯部は、前記取引希望者の正面素顔を認識できないとき、前記取引希望者のズーム映像を取得すべく、当該自動取引装置を監視するための監視カメラに信号を出力することを特徴とする請求項１記載の自動取引装置。
【請求項７】
前記防犯部は、前記取引希望者の正面素顔を認識できないとき、当該自動取引装置を監視するための監視センタに防犯要求を通知することを特徴とする請求項１記載の自動取引装置。
【請求項８】
更に、操作状況に応じた案内画面を表示する表示部を備えており、
前記表示部は、前記カメラが撮影した前記取引希望者の映像を表示することを特徴とする請求項１記載の自動取引装置。
【請求項９】
前記表示部は、前記取引希望者が自身の映像を鏡を見ているかの如く、反転表示することを特徴とする請求項８記載の自動取引装置。
【請求項１０】
カメラで撮影した画像に基づいて、正面素顔の認識を行う正面素顔認識部を備えた自動取引装置と、該自動取引装置とネットワークを介して接続されており、前記自動取引装置からの取引要求に応じて取引処理を行うホスト装置とを備えた取引システムにおいて、
防犯機能の起動要求の可否を防犯機能情報として記憶媒体に登録した後、
取引希望者により取引操作が開始されると、前記記憶媒体から前記防犯機能起動情報を取得する防犯機能起動情報取得部と、
取得した防犯機能起動情報に基づいて、防犯機能起動の可否を判定する防犯機能起動判定部と、
防犯機能起動の要求有りと判定されると、前記正面素顔認識部からの認識結果を取得し、前記取引希望者の正面素顔を認識できないときには、当該取引希望者に対し正面素顔を認識可能に、正面素顔の撮影を要求すると共に、該要求後に前記取引希望者の正面素顔を認識できないときには、以降の取引動作を停止する防犯部と、を備えることを特徴とする自動取引システム。
【請求項１１】
前記ホスト装置は、前記記憶媒体としてのデータベースに顧客の識別情報に前記防犯機能情報を対応付けて保持しており、前記取引希望者から取得する識別情報を前記自動取引装置から受けると、該識別情報に基づいて、前記データベースから前記防犯機能情報を取得し、該防犯機能情報を前記自動取引装置へ通知することを特徴とする請求項１０記載の自動取引システム。
【請求項１２】
前記自動取引装置は、前記防犯機能情報を登録する防犯機能登録部を備えることを特徴とする請求項１０記載の自動取引システム。
【請求項１３】
前記防犯部は、前記した正面素顔の撮影要求を所定の回数行った後、取引動作を停止することを特徴とする請求項１０記載の自動取引システム。
【請求項１４】
前記防犯部は、前記した正面素顔の撮影要求を行い、所定の時間が経過しても正面素顔が認識できなかったとき、取引動作を停止することを特徴とする請求項１０記載の自動取引システム。
【請求項１５】
更に、当該自動取引装置を監視するための監視カメラが前記自動取引装置に接続されており、
前記防犯部は、前記取引希望者の正面素顔を認識できないとき、前記取引希望者のズーム映像を取得すべく、前記監視カメラに信号を出力することを特徴とする請求項１０記載の自動取引システム。
【請求項１６】
更に、当該自動取引装置を監視するための監視センタが前記自動取引装置に接続されており、
前記防犯部は、前記取引希望者の正面素顔を認識できないとき、前記監視センタに防犯要求を通知することを特徴とする請求項１０記載の自動取引システム。
【請求項１７】
更に、操作状況に応じた案内画面を表示する表示部を備えており、
前記表示部は、前記カメラが撮影した前記取引希望者の映像を表示することを特徴とする請求項１０記載の自動取引システム。
【請求項１８】
前記表示部は、前記取引希望者が自身の映像を鏡を見ているかの如く、反転表示することを特徴とする請求項１７記載の自動取引システム。
【請求項１９】
カメラで撮影した画像に基づいて、正面素顔の認識を行う正面素顔認識部を備えた自動取引装置で取引を行うために、顧客に付与される情報登録可能の取引カードであって、
防犯機能の起動要求の可否が防犯機能情報として登録された後、
取引希望者により取引操作が開始されると、前記自動取引装置で当該カードから前記防犯機能起動情報が読み取られ、該防犯機能起動情報に基づいて、防犯機能起動の可否が判定されて、防犯機能起動の要求有りと判定されると、前記正面素顔認識部からの認識結果を取得し、前記取引希望者の正面素顔を認識できないときには、当該取引希望者に対し正面素顔を認識可能に、正面素顔の撮影を要求すると共に、該要求後に前記取引希望者の正面素顔を認識できないときには、前記自動取引装置における以降の取引動作を停止するために用いられることを特徴とする取引カード。
【発明の詳細な説明】
【技術分野】
【０００１】
本発明は、自動取引装置での取引における防犯に関するものである。
【背景技術】
【０００２】
金融取引などの取引希望者は、金融機関の窓口に出向かなくても、ＡＴＭ（Ａｕｔｍａｔｅｄ  Ｔｅｌｌｅｒ  Ｍａｃｈｉｎｅ）やＣＤ（Ｃａｓｈ  Ｄｉｓｐｅｎｓｅｒ）などの自動取引装置を操作して取引を行うことができる。このような自動取引装置は、金融機関の店舗に限ることなく様々な場所に設置され、利用者の利便性の向上が図られている。しかしながら、人目に付き難い場所に設置された自動取引装置は、不正取引の対象になり易く、然るべき対策が望まれていた。
【０００３】
例えば防犯対策を施した自動取引装置が、特許文献１に示されている。該特許文献１によれば、顧客のバイオメトリクスを用いて本人認証を行って不正取引を防止する技術が開示されている。一方、特許文献２には、取引中に取引希望者の顔を撮影し、画像を圧縮して保存しておき、不正取引が発覚した際、保存してある画像を参照して事件の解決に役立てることを開示している。
【特許文献１】特表２００２−５４１５３３号公報
【特許文献２】特開平７−２３４９５８号公報
【発明の開示】
【発明が解決しようとする課題】
【０００４】
ところで特許文献１の自動取引装置では、取引の都度、取引希望者からバイオメトリクスを取得し、取得したバイオメトリクスと予め登録しておいたバイオメトリクスとを照合し、本人認証を行い、認証された取引希望者にのみ取引操作の継続が許可される。従って、特許文献１によれば、バイオメトリクスを取得して認証するため、取引操作を続行するまでに時間を要し、利便性を優先する取引希望者にとって、煩わしさのある自動取引装置であった。
【０００５】
一方、特許文献２の発明では、取引希望者の顔を撮影して保存することで、不正取引の事件解決に役立てられているが、不正取引を未然に防止することができない問題があった。
【０００６】
従って、本発明の目的は、利便性を優先する取引希望者に対し煩わしさを与えることなく、また防犯性を高めた自動取引装置、自動取引システムおよび取引カードを提供することにある。
【課題を解決するための手段】
【０００７】
本発明は、以上の点を解決するために、次の構成を採用する。
カメラで撮影した画像に基づいて、正面素顔の認識を行う正面素顔認識部を備えた自動取引装置において、防犯機能の起動要求の可否を防犯機能情報として記憶媒体に登録した後、取引希望者により取引操作が開始されると、前記記憶媒体から前記防犯機能起動情報を取得する防犯機能起動情報取得部と、取得した防犯機能起動情報に基づいて、防犯機能起動の可否を判定する防犯機能起動判定部と、防犯機能起動の要求有りと判定されると、前記正面素顔認識部からの認識結果を取得し、前記取引希望者の正面素顔を認識できないときには、当該取引希望者に対し正面素顔を認識可能に、正面素顔の撮影を要求すると共に、該要求後に前記取引希望者の正面素顔を認識できないときには、以降の取引動作を停止する防犯部とを備えることを特徴とする。
【０００８】
前記記憶媒体は、顧客に付与される取引カード、通帳、または顧客の情報を管理するデータベースの少なくとも何れか一つに登録されることを特徴とする。
前記防犯機能情報を登録する防犯機能登録部を備えることを特徴とする。
前記防犯部は、前記した正面素顔の撮影要求を所定の回数行った後、取引動作を停止することを特徴とする。
【０００９】
前記防犯部は、前記した正面素顔の撮影要求を行い、所定の時間が経過しても正面素顔が認識できなかったとき、取引動作を停止することを特徴とする。
前記防犯部は、前記取引希望者の正面素顔を認識できないとき、前記取引希望者のズーム映像を取得すべく、当該自動取引装置を監視するための監視カメラに信号を出力することを特徴とする。
【００１０】
前記防犯部は、前記取引希望者の正面素顔を認識できないとき、当該自動取引装置を監視するための監視センタに防犯要求を通知することを特徴とする。
更に、操作状況に応じた案内画面を表示する表示部を備えており、前記表示部は、前記カメラが撮影した前記取引希望者の映像を表示することを特徴とする。
前記表示部は、前記取引希望者が自身の映像を鏡を見ているかの如く、反転表示することを特徴とする。
【００１１】
カメラで撮影した画像に基づいて、正面素顔の認識を行う正面素顔認識部を備えた自動取引装置と、該自動取引装置とネットワークを介して接続されており、前記自動取引装置からの取引要求に応じて取引処理を行うホスト装置とを備えた取引システムにおいて、防犯機能の起動要求の可否を防犯機能情報として記憶媒体に登録した後、取引希望者により取引操作が開始されると、前記記憶媒体から前記防犯機能起動情報を取得する防犯機能起動情報取得部と、取得した防犯機能起動情報に基づいて、防犯機能起動の可否を判定する防犯機能起動判定部と、防犯機能起動の要求有りと判定されると、前記正面素顔認識部からの認識結果を取得し、前記取引希望者の正面素顔を認識できないときには、当該取引希望者に対し正面素顔を認識可能に、正面素顔の撮影を要求すると共に、該要求後に前記取引希望者の正面素顔を認識できないときには、以降の取引動作を停止する防犯部と、を備えることを特徴とする。
【００１２】
前記ホスト装置は、前記記憶媒体としてのデータベースに顧客の識別情報に前記防犯機能情報を対応付けて保持しており、前記取引希望者から取得する識別情報を前記自動取引装置から受けると、該識別情報に基づいて、前記データベースから前記防犯機能情報を取得し、該防犯機能情報を前記自動取引装置へ通知することを特徴とする。
【００１３】
更に、当該自動取引装置を監視するための監視カメラが前記自動取引装置に接続されており、前記防犯部は、前記取引希望者の正面素顔を認識できないとき、前記取引希望者のズーム映像を取得すべく、前記監視カメラに信号を出力することを特徴とする。
【００１４】
更に、当該自動取引装置を監視するための監視センタが前記自動取引装置に接続されており、前記防犯部は、前記取引希望者の正面素顔を認識できないとき、前記監視センタに防犯要求を通知することを特徴とする。
【００１５】
カメラで撮影した画像に基づいて、正面素顔の認識を行う正面素顔認識部を備えた自動取引装置で取引を行うために、顧客に付与される情報登録可能の取引カードであって、防犯機能の起動要求の可否が防犯機能情報として登録された後、取引希望者により取引操作が開始されると、前記自動取引装置で当該カードから前記防犯機能起動情報が読み取られ、該防犯機能起動情報に基づいて、防犯機能起動の可否が判定されて、防犯機能起動の要求有りと判定されると、前記正面素顔認識部からの認識結果を取得し、前記取引希望者の正面素顔を認識できないときには、当該取引希望者に対し正面素顔を認識可能に、正面素顔の撮影を要求すると共に、該要求後に前記取引希望者の正面素顔を認識できないときには、前記自動取引装置における以降の取引動作を停止するために用いられることを特徴とする。
【発明の効果】
【００１６】
本発明の自動取引装置によれば、犯罪者は正面の素顔を撮影されたくない犯罪心理を利用して、取引希望者をカメラで撮影し、その画像から正面素顔を認識する。そして認識できないときには、正面素顔を認識可能にカメラに正視するよう取引希望者に要求し、それでも認識できないときは、取引動作を停止する。これにより、不正取引を行おうとする取引希望者の犯罪を未然に防止することができる。更に、本発明の自動取引装置によれば、前記した防犯機能の起動の可否を防犯機能情報として登録しておき、前記防犯機能の起動を要求する取引希望者のみ動作するようにしたことから、利便性を優先する利用者に煩わしさを感じさせることがない。
【発明を実施するための最良の形態】
【００１７】
以下、本発明の実施形態の幾つかを図を用いて詳細に説明するが、以下の説明では、各実施の形態に用いる図面について同一の構成要素は同一の符号を付し、かつ重複する説明は可能な限り省略する。
【実施例１】
【００１８】
本発明の自動取引システム１００は、図１に示されているように、自動取引装置としてのＡＴＭ１０と、該ＡＴＭ１０とネットワーク３０を介して接続するホスト装置４０とを備えており、適宜、ネットワーク３０に監視装置６０および監視カメラ６１がＡＴＭ１０を監視するために接続されている。
【００１９】
ホスト装置４０は、ＡＴＭ１０からの入金、出金、残高照会、通帳記入および振込みなどの金融取引要求に応じて、該各金融取引処理を総合的に管理する処理機能を備えている。
【００２０】
自動的に金融取引を行うＡＴＭ１０は、取引希望者からの操作指示を受ける入力部１１と、操作に応じた表示を行う表示部１２と、取引希望者に対し音声案内を行う音声案内部１３と、顧客に付与される取引カードとしてのキャッシュカードに登録されている情報を読取るカード読取り部１４と、ネットワークを介して通信を行うためのＡＴＭ通信部１５と、取引希望者を撮影するためのカメラ１６と、該カメラからの画像データに基づいて、取引希望者の正面の素顔を認識する正面素顔認識部１７と、後述する防犯機能起動情報に基づいて、防犯機能の起動の可否を判定する防犯機能起動判定部１８と、防犯機能の起動が判定されると、正面素顔認識部１７からの認識結果に応じた防犯対策を行う防犯部１９と、図示しない現金処理部および印刷部と、前記各部を統括的に制御する制御部２０と、を備える。
【００２１】
現金処理部および印刷部は従来から知られている機能であり、すなわち現金処理部は入出金する現金を計数して処理し、印刷部は通帳や取引レシートに取引内容の結果を印字する。
【００２２】
ところで、カード読取り部１４で取得する防犯機能起動情報は、ＡＴＭ１０での取引において、防犯性を高める機能を起動するか否か顧客の意向が示された情報であり、該情報はキャッシュカードに予め登録されている。
カード読取り部１４は、キャッシュカードから口座番号などの顧客情報を読み取る機能と、防犯機能起動情報取得部としての機能を備えている。防犯機能起動情報取得部としての機能は、キャッシュカードには予め登録されている防犯機能起動情報を読み出して、読み出した防犯機能起動情報を防犯機能起動判定部１８へ出力する。
【００２３】
カード読取り部１４からの防犯機能起動情報を受けた防犯機能起動判定部１８は、該防犯機能起動情報に基づいて防犯機能を起動するか否か判定を行い、判定結果を防犯部１９へ通知する。
【００２４】
正面素顔認識部１７は、カメラ１６により撮影された取引希望者の画像を解析し、正面顔であるか否か、かつ素顔であるか否かを判定する。尚、カメラ１６で撮影した取引希望者の映像は表示部１２に表示させて、取引希望者自身に撮影状況を視認させるようにしてもよく、その場合、取引希望者が鏡を見ている様に、ミラー反転表示させることが好ましい。
【００２５】
とろで、本発明は、正面素顔をカメラで撮影されたくない犯罪者の心理を利用しており、正面素顔が認識できなければ、正面素顔を認識できるよう、取引希望者にカメラの正面に顔を向けるよう要求したり、図２に示すようにマスクやサングラス又はフルフェイスのヘルメットなどで顔が覆われている虞がある場合には、それらを外すよう取引希望者に対し要求を行う。正面素顔が認識できた取引希望者に対しては取引動作の継続を許可し、正面素顔を認識させない悪意があるであろう取引希望者に対しては以降の取引動作を停止することで犯罪の発生を未然に防止する。
【００２６】
防犯部１９は、判定結果に防犯機能の起動を示す判定結果を防犯機能起動判定部１８から受けると、取引希望者の正面素顔の認識結果を得るべく、正面素顔認識部１７の起動制御を行う。この制御を受けた正面素顔認識部１７から取引希望者の正面素顔が認証できない旨を認証結果として受けた防犯部１９は、取引希望者に対し、カメラに対し素顔で正視するように要求すべく、表示部１２および音声案内部１３に制御を指示する。指示を受けた表示部１２は、取引希望者に対し、カメラに対し素顔で正視するよう要求する表示案内を行う。一方、音声案内部１３は、取引希望者に対し、カメラに対し素顔で正視するよう要求する声案内を行う。
【００２７】
表示や音声による案内を行った後、取引希望者の正面素顔を再認識すべく、防犯部１９は、正面素顔認識部１７に再認識の制御を指示する。防犯部１９は、再認識処理を所定の回数行っても取引希望者の正面素顔が認識できないとき、以降の取引動作を停止する制御指示を表示部１２および音声案内部１３に通知する。
【００２８】
ＡＴＭ通信部１５は、前記した防犯部１９により正面素顔が認識できない取引希望者をズームアップで撮影したり、監視したりするために監視カメラ６１および監視装置６０に対し、監視強化の制御指示を出力する。また、ＡＴＭ通信部１５は、金融取引の管理を行うホスト装置４０と電文を交わす機能も備えている。
【００２９】
次に、本発明の自動取引システム１００の動作の特徴を図３のフローチャートに沿って説明する。
取引希望者が防犯機能起動情報が登録されているキャッシュカードをカード読取り部１４のカード挿入口に挿入してキャッシュカードから個人情報と共に防犯機能起動情報を読み出す（ステップＳ１）。読み出された防犯機能起動情報は、防犯機能起動判定部１８へ出力される。
【００３０】
防犯機能起動情報を受けた防犯機能起動判定部１８は、防犯機能起動情報に防犯機能の起動が示されているか否か判定を行い、その判定結果を防犯部１９へ通知する（ステップＳ２）。
【００３１】
防犯機能の起動通知を受けた防犯部１９は、取引希望者の正面素顔の認識結果を得るべく正面素顔認識部１７の起動制御を行う（ステップＳ３）。正面素顔認識部１７は、カメラ１６を制御して取引希望者を撮影する。正面素顔認識部１７は、カメラ１６でカラー撮影した画像をモノクロ画像に変換し、モノクロ画像における濃淡値に基づいて、取引希望者の顔を特定し、特定した顔における目や口の候補部位を求める。そして、求めた候補部位の位置関係を予め登録してある標準顔画像と照らし合わせることで、カメラに対し正視しており、かつ素顔であるか否か判定する（ステップＳ４）。尚、正面素顔の認識は、前記した方法に限ることなく、従来から知られた様々な方法で認識してもよい。
【００３２】
このようにして求めた正面素顔の認識結果は、正面素顔認識部１７から防犯部１９へ通知される。認識結果を受けた防犯部１９は、正面素顔が認識できない場合、取引希望者の監視を強化すべく、監視カメラ６１および監視装置６０に監視強化の通知を行う（ステップＳ５）。この通知を受けた監視カメラ６１では、当該ＡＴＭ１０を操作する取引希望者のズームアップの撮影制御を行う。一方、監視強化の通知を受けた監視装置６０では、監視装置の表示モニタに表示される状況に応じて係員がその対処を行う。
【００３３】
更に防犯部１９は、正面素顔が認識できない場合、図４に示すように、取引希望者に対し素顔でカメラに正視する要求を行うべく、表示部１２に表示制御の指示を行うと共に、素顔でカメラに正視する要求を音声案内すべく、音声案内部１３に音声案内制御の指示を出力する（ステップＳ６）。その後、再認識すべく、前記したステップＳ３からの正面素顔の認識処理を行う。
【００３４】
尚、正面素顔の再認識を所定の回数行っても、認識できない場合には、以降の取引処理の中断を表示案内および音声案内にて行うべく、表示部１２および音声案内部１３に対し制御指示が出力された後、金融取引が中断される（ステップＳ７）。
【００３５】
ところで、前記したステップＳ２において、顧客が防犯性を高める機能の起動を要求しない場合、金融取引のための処理が即座に継続される。これにより、利便性を考慮する顧客に対しては、従来と同様に迅速な取引を行うことができる。
また、前記したステップＳ４において、図５に示すように、取引希望者の正面素顔が認識できると、金融取引が続行される（ステップＳ８）。正面素顔を認証してから取引動作を継続することから、正面素顔を撮影されたくない犯罪者の心理を利用し、犯罪を未然に防止することができ、防犯性を高めることができる。
【実施例２】
【００３６】
次に、防犯機能起動情報をホスト装置に登録しておき、金融取引の際、ホスト装置から防犯機能起動情報を取得する自動取引システム２００を説明する。
実施例２の自動取引システム２００は、図６に示すように、ＡＴＭ２１と、該ＡＴＭ２１とネットワーク３０を介して接続するホスト装置５０とを備えており、適宜、ネットワーク３０に監視カメラ６１および監視装置６０が接続される。
【００３７】
ＡＴＭ２１は、入力部１１と、表示部１２と、音声案内部１３と、ＡＴＭ通信部１５と、カメラ１６と、正面素顔認識部１７と、防犯機能起動判定部１８と、防犯部１９と、制御部２０と、図示しない現金処理部および印刷部とを備えており、更に、従来と同様のキャッシュカードに登録されている個人情報を読み取るカード読取り部２２とを備えている。
【００３８】
ところで、実施例２の防犯機能起動判定部１８は、ＡＴＭ通信部１５で受信するホスト装置５０からの防犯機能起動情報に基づいて判定を行う。すなわち、実施例２の防犯機能起動情報はホスト装置５０で保持管理されている。
【００３９】
ホスト装置５０は、ネットワーク３０を介してＡＴＭ２１と通信するためのホスト通信部５１と、口座番号などの個人情報に対応付けて管理する防犯機能起動情報を保持するデータベース５２と、該データベース５２を口座番号に基づいて検索し、該口座番号に対応付けられている防犯機能起動情報を取得する防犯機能起動情報取得部としてのデータベース検索部５３と、前記各部を統括的に制御するホスト制御部とを備える。
【００４０】
データベース５２は、口座番号などの個人情報に対応付けて防犯機能起動情報を保持管理しており、このデータベース５２で保持されている防犯機能起動情報は、データベース検索部５３で口座番号に基づいて検索されて取得される。
【００４１】
次に、実施例２の自動取引システム２００の動作の特徴を説明する。
実施例２の自動取引システム２００の動作は、図３に示すフローチャートにおいて、ステップＳ１における防犯機能起動情報の取得動作が異なる。この異なる動作を図７のフローチャートに沿って説明する。
【００４２】
口座番号が登録されているキャッシュカードをカード読取り部１４のカード挿入口に挿入してキャッシュカードから口座番号を読み出す（ステップＳ１１）。読み出された口座番号は、ＡＴＭ通信部１５の送信制御でホスト装置５０へ送られる（ステップＳ１２）。
【００４３】
ホスト装置５０のホスト通信部５１で口座番号が受信されると（ステップＳ１３）、データベース検索部５３は、口座番号に基づいてデータベース５２を検索し、口座番号に対応付けて保持管理されている防犯機能起動情報を取得する（ステップＳ１４）。データベース検索部５３で防犯機能起動情報を取得すると、該防犯機能起動情報はホスト通信部５１の送信制御でＡＴＭ２１へ送られる（ステップＳ１５）。
【００４４】
ＡＴＭ２１のＡＴＭ通信部１５で防犯機能起動情報が受信されると（ステップＳ１６）、該情報は防犯機能起動判定部１８へ通知される。防犯機能起動情報を受けた防犯機能起動判定部１８は、図３におけるステップ２からの処理を行う。すなわち、防犯機能起動判定部１８は、防犯機能起動情報に防犯機能の起動が示されているか否か判定を行い、その判定結果を防犯部１９へ通知する。以降の動作は、前記した実施例と同じであることから、その説明を割愛する。
【００４５】
前記したように、実施例２の自動取引システム２００によれば、防犯機能起動情報をホスト装置５０で保持管理させることで、顧客に発行済みのキャッシュカードに防犯機能起動情報を追加登録し直す必要がなく、キャッシュカードを発行済みの顧客に対し、追加登録の煩わしさを感じさせることなく、防犯性を高めたシステムを導入することができる。
【産業上の利用可能性】
【００４６】
前記した実施例では取引希望者の正面素顔を所定の回数認識できないとき、金融取引が停止する例で説明したが、回数の他に所定の制限時間内で取引希望者の正面素顔が認識できないときにも、金融取引を停止するようにしてもよい。
前記した実施例では、防犯機能起動情報が予め登録された例で説明したが、ＡＴＭに防犯機能登録部を設けることで、顧客に防犯性を高める機能の起動の可否をキャッシュカードやデータベースに登録させるようにしてもよい。また、この防犯機能登録部は、口座開設時には、金融機関の係員が操作する口座開設用の端末に設けてもよい。
前記した実施例２において、防犯機能起動判定部１８をＡＴＭ２１に設ける例で説明したが、防犯機能起動判定部１８をホスト装置５０に設けてもよい。この場合ホスト装置５０で防犯機能の起動判定が行われ、その判定結果がＡＴＭ２１へ送られ、該ＡＴＭ２１の防犯部１９へ通知される。
前記した実施例では、防犯機能起動情報をデータベースやキャッシカードに登録する例で説明したが、防犯機能起動情報を通帳に登録しおき、該通帳から防犯機能起動情報を読み出すようにしてもよい。
【図面の簡単な説明】
【００４７】
【図１】実施例１の自動取引システムのブロック図である。
【図２】素顔を隠した不審人物を示す図である。
【図３】本発明の自動取引システムの動作フローチャートである。
【図４】取引希望者に対し素顔でカメラに正視する要求画面を示す図である。
【図５】取引希望者の正面素顔を示す図である。
【図６】実施例２の自動取引システムのブロック図である。
【図７】実施例２における防犯機能起動情報の取得動作を示すフローチャートである。
【符号の説明】
【００４８】
１０  ＡＴＭ
１１  入力部
１２  表示部
１３  音声案内部
１４  カード読取り部
１５  ＡＴＭ通信部
１６  カメラ
１７  正面素顔認識部
１８  防犯機能起動判定部
１９  防犯部
２０  制御部
３０  ネットワーク
４０  ホスト装置
６０  監視装置
６１  監視カメラ
【図１】
2006079302.tif 000003
【図２】
2006079302.tif 000004
【図３】
2006079302.tif 000005
【図４】
2006079302.tif 000006
【図５】
2006079302.tif 000007
【図６】
2006079302.tif 000008
【図７】
2006079302.tif 000009